(57)【要約】【課題】被膜中から塩基性物質などを溶出すること等の問題がない、水中に生息する微生物などの発生および／または付着抑制用に好適使用される塗料組成物を提供する。【解決手段】塗料構成基材にパラオ共和国が領有する海域の海泥を配合して成ることを特徴とする塗料組成物。【選択図】        なし【特許請求の範囲】
【請求項１】
塗料構成基材にパラオ共和国が領有する海域の海泥を配合して成ることを特徴とする塗料組成物。
【請求項２】
塗料組成物中の海泥の濃度が１〜７０重量％である請求項１に記載の塗料組成物。
【請求項３】
更に希土類元素を配合して成る請求項１又は２に記載の塗料組成物。
【請求項４】
海泥と希土類元素（酸化物として）の両者の合計量に対する海泥の割合が５〜９５重量％である請求項３に記載の塗料組成物。
【請求項５】
微生物の発生および／または付着抑制用である請求項１〜４の何れかに記載の塗料組成物。
【請求項６】
微生物が海水または淡水に生息する微生物である請求項５に記載の塗料組成物。
【発明の詳細な説明】
【０００１】
【発明の属する技術分野】
本発明は、塗料組成物に関し、詳しくは、特に、水中に生息する微生物などの発生および／または付着抑制用に好適使用される塗料組成物に関する。
【０００２】
【従来の技術】
近時、「天然珪酸塩鉱物の微細粉末、又は天然珪酸塩鉱物と希土類元素を含む鉱物の混合微細粉末を、導電性を有する高分子化合物中に含有し、水をアルカリ性に改質する被膜を形成する機能性樹脂組成物」が提案されている（例えば特許文献１参照）。
【０００３】
上記の機能性樹脂組成物は、被膜中から塩基性物質などを溶出する方式ではなく、被膜中に天然の鉱物を用いて成分を溶出することなく、鉱物の電気特性により水をアルカリ性にすることを活用した全く新規な防汚塗料に利用でき、水中生物の付着防止方法に好適に使用されるとのことである。すなわち、上記の機能性樹脂組成物においては、例えばトルマリン（電気石）等の天然珪酸塩鉱物の特性により、被膜組成が変化することなく被膜直近の水がアルカリ性化され、希土類元素を含む鉱物により、水のアルカリ性化が促進されるという原理に基づいている。そして、導電性を有する高分子化合物は、被膜中においてトルマリン（電気石）等の天然珪酸塩鉱物がその電気特性を発揮するのに寄与している。
【０００４】
【特許文献１】
特開平２００３−５５６０８号公報
【０００５】
【発明が解決しようとする課題】
本発明の目的は、上記の機能性樹脂組成物と同様に、被膜中から塩基性物質などを溶出すること等の問題がない、水中に生息する微生物などの発生および／または付着抑制用に好適使用される塗料組成物を提供することにある。
【０００６】
【課題を解決するための手段】
本発明者は、鋭意検討を重ねた結果、塗料構成基材にある特定の材料を配合することにより上記の目的を容易に達成し得るとの知見を得、本発明の完成に到った。
【０００７】
すなわち、本発明の要旨は、塗料構成基材にパラオ共和国が領有する海域の海泥を配合して成ることを特徴とする塗料組成物に存する。
【０００８】
【発明の実施の形態】
以下、本発明を詳細に説明する。本発明の塗料組成物において、塗料構成基材、すなわちバインダー（樹脂）及び溶剤としては、使用目的に応じ、従来公知のものを適宜選択して使用することが出来る。
【０００９】
樹脂としては、溶剤系塗料用として通常使用されているアクリル樹脂、アルキッド樹脂、ポリエステル樹脂、ポリウレタン樹脂、エポキシ樹脂、フェノール樹脂、メラミン樹脂、アミノ樹脂など使用することが出来る。水系塗料用としては、通常使用されている水溶性アルキッド樹脂、水溶性メラミン樹脂、水溶性アクリル樹脂、水溶性ウレタンエマルジョン樹脂などを使用することが出来る。
【００１０】
溶剤としては、溶剤系塗料用として通常使用されているトルエン、キシレン、ブチルアセテート、メチルアセテート、メチルイソブチルケトン、ブチルセロソルブ、エチルセロソルブ、ブチルアルコール、脂肪族炭化水素などをを使用することが出来る。水系塗料用溶剤としては、水と水系塗料に通常使用されているブチルセロソルブ、ブチルアルコール等とを混合して使用することが出来る。
【００１１】
また、本発明においては、既に、各種の用途別に市販されている塗料を塗料構成基材として使用することも出来る。例えば、船舶用としては、中国塗料株式会社製の商品「アクリ２００」（アクリル系）、「ユニマリン」（ポリウレタン系）等がある。
【００１２】
本発明の特徴は、上記の様な塗料構成基材にパラオ共和国が領有する海域の海泥を配合した点にある。パラオ共和国が領有する海域の海泥は、パラオ共和国が領有する海域の数多くの場所から採取することが出来るが、珊瑚などの化石化堆積物と考えられ、その主な構成成分は表１に示す通りである。そして、特開２００２−３３８４２号公報においては、その１つであるウルクタープル島の海泥が既に皮膚外用剤として利用され、肌の美白などに効果的であることが知られている。
【００１３】
【表１】
2005008716.tif 000002
【００１４】
パラオ共和国が領有する海域の海泥は次の様な特徴を有する。すなわち、完全乾燥された試料１０．０ｇに精製水４０．０ｇを加え、３分間撹拌した後に３分間放置し、分離された上澄液を採取し、マイナスイオン測定装置（商品名：ＦＷイオンカウンター）にてマイナスイオンを測定した結果、１５６（個／ｃｍ３）であり、トルマリン水と同程度である（１７９個／ｃｍ３））。また、上記の上澄液は、ｐＨが８以上でアルカリ性である。本発明において、パラオ共和国が領有する海域から採取されて上記の様な特徴を有する限り、海泥を採取する具体的な場所は問題とされない。
【００１５】
本発明においては、上記の海泥と共に希土類元素を配合するのが好ましい。希土類元素は、スカンジウム、イットリウム、ランタン、セリウム、プロセオジム、ネオジム、プロメチウム、サマリウム、ユーロピウム、ガドリニウム、テルビウム、ジスプロシウム、ホルミウム、エルビウム、ツリウム、イッテルビウム、ルテチウムであり、通常、酸化物の形で使用される。そして、工業的には、多量且つ安価に入手される希土類含有鉱石が使用される。そして、その一例は、チタン鉱石や鉄鉱石の副産物として産出される。
【００１６】
上記の海泥および希土類元素（希土類元素を含む鉱物）は、通常、平均粒径が５μｍ以下に粉砕して使用される。海泥の粉砕には簡単な構造のミキサー等が使用され、希土類元素（希土類元素を含む鉱物）の粉砕には鉱物用の粉砕機が使用される。
【００１７】
本発明において、本発明の目的を損なわない限り、他の任意の成分を配合することが出来る。例えば、前述の先行技術に記載されているトルマリン（電気石）等の天然珪酸塩鉱物を併用することも出来る。また、導電性フィラー（金属微粉末、カーボン繊維など）を配合してもよい。
【００１８】
本発明の塗料組成物は、塗料基材（又は市販の塗料）に前記の各成分を配合して調製される。斯かる配合処理は公知の方法に従って行うことが出来る。塗料組成物中の海泥の濃度は、全体中の割合として、通常１〜７０重量％、好ましくは５〜５０重量％である。希土類元素を併用する場合、海泥と希土類元素（酸化物として）の両者の合計量に対する海泥の割合は、通常５〜９５重量％、好ましくは２０〜８０重量％である。
【００１９】
本発明の塗料組成物は、水中生物の付着が問題となる河川または海洋向けの構築物、設備、資材などに適用することが出来る。具体的には、原子力発電所や研究施設などの取水口、排水口および配管、船舶の船底、養殖場施設、定置網、養殖用網、あるいは、浄化材などに適用することが出来る。そして、適用可能な素材としては、金属、木材、プラスチック、コンクリート、砕石などの各種素材が挙げられる。上記の様な構築物、設備、資材に適用することにより、フジツボ類、ムラサキイ貝類、コケムシ類、ホヤ貝類、藻類などの各種の水中生物の付着を有効に防止できる。
【００２０】
また、本発明の塗料組成物は、住居などの建屋内の水周りにも適用することが出来る。具体的には、浴室の浴槽、洗い場の排水溝や排水口、壁や床の目地に適用することが出来、斯かる場所に適用した場合には、ぬめり、汚れの付着を防止することが出来る。更に、台所のシンク、排水口、ダストボックス、三角コーナー（生ゴミ容器）に適用した場合には、ゴミの腐敗や微生物の増殖によるぬめりの発生、悪臭の発生を効果的に防止することが出来る。更には、トイレの便器に適用した場合には、着色や悪臭を防止することが出来、また、ペットの排泄箱、飼育檻などに適用した場合には、排泄物の悪臭および細菌や微生物の増殖による悪臭の発生を防止することが出来る。また、本発明の塗料組成物は、ビル等の貯水槽にも適用することが出来、その場合、貯水槽内におけるぬめりや水あかの発生を効果的に抑制できる。
【００２１】
上記の様に、本発明の塗料組成物は、被膜中から塩基性物質などを溶出する等の問題がなく、そして、水中生物や微生物などの発生および／または付着抑制に優れた効果を発揮する。また、優れた消臭効果を発揮する。なお、本発明の塗料組成物の塗布は、ハケ、ロール、エアースプレー等の適宜の手段で行われ、１回塗り当たりの膜厚（乾燥後の値）は、通常１０〜１００μｍとされる。また、塗布においては、２度塗りした方がより効果的である。
【００２２】
【実施例】
以下、本発明を実施例により更に詳細に説明するが、本発明は、その要旨を超えない限り、以下の実施例に限定されるものではない。
【００２３】
塗料構成基材として、市販の機能性塗料（元旦ビューティ工業株式会社製、商品名「滝つぼ（ＭＳ２０−０１）」：アクリル酸エステル共重合体エマルジョン５９重量％、ノプコ８０３４（炭化水素系消泡剤）／ヘキサメタリン酸ナトリウム／アクリル酸ナトリウム／メチルアルコール／エチレングリコール／モノブチルエーテル５．８％、二酸化チタン／炭酸カルシウム／天然鉱石ガーネット及びセラミックス微粉３５．２％）を使用し、これに天然ケイ酸塩鉱物と希土類元素の混合粉末を２０％、海泥を１０％加え、撹拌して塗料組成物を製造した。海泥としては、パラオ共和国コロール州の通称「ミルキーウエイ」と呼ばれる場所から採取した海泥を使用した。
【００２４】
次いで、流し台のシンク、排水口、ダストボックス、金属網製の三角コーナー（生ゴミ容器）、トイレの便器、浴槽の側溝、排水口に上記の塗料組成物を塗布し、乾燥後に日常の使用に供した。また、ビル屋上の貯水槽と同材質の容器に上記の塗料組成物を塗布し、乾燥後に容器に貯水した。更に、上記の塗料組成物を塗布した厚紙をペットの排泄箱の側面に張り、かつ、排泄箱の内側面に上記の塗料組成物を塗布し、乾燥後に排泄箱を猫の排泄箱として使用した。
【００２５】
上記の様に各場所に塗料組成物を塗布して状況を確認したところ、３カ月経過後においても、流し台のシンク、排水口、ダストボックス、三角コーナー、トイレの便器、浴槽の側溝、排水口および貯水槽と同材質の容器については、全体的にぬめりの発生はなく、消臭効果も確認された。なお、最初の塗布むらにより、塗膜の薄い部分については、僅かにぬめりの発生が見られたが、簡単に水で洗い落とすことが出来た。また、ペットの排泄箱については、塗布前に発生していた様な臭気がなく、消臭効果が確認された。
【００２６】
【発明の効果】
以上説明した本発明によれば、被膜中から塩基性物質などを溶出すること等の問題がない、水中生物や微生物などの発生および／または付着抑制用に好適使用される塗料組成物が提供され、本発明の工業的価値は顕著である。